(57)【要約】【課題】ＬＥＤを実装した回路基板を確実に器具本体に取り付けることができる照明器具を提供する。【解決手段】ＬＥＤ２１２が実装された回路基板２１１は、押え部材４０を介して器具本体２０に取り付けられる。押え部材４０は、ビス４４により器具本体２０に取り付けられる板状の第１部材４１と、第１部材４１に支持され回路基板２１１に接触する第２部材４２と、を有する。さらに第１部材４１には、第１部材４１から外側に突出する第３部材４３が設けられている。第３部材４３は、器具本体２０に設けられているストッパ５２により、移動が規制される。このため、押え部材４０の移動を防止して、回路基板２１１を確実に器具本体２０に取り付けることができる。【選択図】図５
2014029811.tif 000002
【特許請求の範囲】
【請求項１】
器具本体と、
ＬＥＤを実装した回路基板と、
前記回路基板を前記器具本体に取り付ける押え部材と、を有し、
前記押え部材が、ビスにより前記器具本体に取り付けられる板状の第１部材と、前記第１部材に支持され前記回路基板に接触する第２部材と、を有し、
前記第１部材に当該第１部材から突出する第３部材を設けるとともに、
前記器具本体に、前記第３部材の移動を規制するストッパを設けた照明器具。
【請求項２】
請求項１に記載の照明器具において、
前記第２部材は、くびれ部を介して前記第１部材に支持される照明器具。
【発明の詳細な説明】
【技術分野】
【０００１】
本発明は、器具本体にＬＥＤを実装した回路基板を取り付けた照明器具に関するものである。
【背景技術】
【０００２】
従来より、器具本体にＬＥＤを実装した回路基板が取り付けられた照明器具が知られている（例えば、特許文献１参照）。
図６に示すように、特許文献１に記載の照明器具（ＬＥＤランプ）１００では、器具本体であるランプ本体１０１の支持面１０２に、発光装置１０３が取り付けられる。
発光装置１０３は、矩形状の回路基板１０４を備えている。
回路基板１０４は平板状を呈しており、実装面１０５には、複数個のＬＥＤ（発光ダイオード）がマトリクス状に配列された四角い実装領域１０６が設けられている。
実装領域１０６は、一対の給電端子１０７、１０８を介してコネクタ１０９に接続される。
コネクタ１０９は点灯装置（図示省略）に接続され、点灯電力の供給を受ける。
【０００３】
回路基板１０４は、一対の押圧部材１１０、１１１を介して、ランプ本体１０１の支持面１０２に取り付けられる。
押圧部材１１０、１１１は、回路基板１０４の実装領域１０６を間に挟んだ両側で、支持面１０２にビス１１２により取り付けられる。
これにより、回路基板１０４を支持面１０２に弾性的に支持している。
なお、支持面１０２は、グローブ（図示省略）により覆われる。
【先行技術文献】
【特許文献】
【０００４】
【特許文献１】特開２０１１−８２１４１号公報（第３図）
【発明の概要】
【発明が解決しようとする課題】
【０００５】
しかしながら、前述したような従来の照明器具１００においては、回路基板１０４を支持面１０２に支持する押圧部材１１０、１１１が、各々ビス１１２により支持面１０２に支持されているので、押圧部材１１０、１１１は回動するおそれがある。
このため、回路基板１０４の固定の確実性が低下するという問題があった。
【０００６】
本発明は、従来の問題を解決するためになされたもので、ＬＥＤを実装した回路基板を確実に器具本体に取り付けることができる照明器具を提供することを目的とする。
【課題を解決するための手段】
【０００７】
本発明の照明器具は、器具本体と、ＬＥＤを実装した回路基板と、前記回路基板を前記器具本体に取り付ける押え部材と、を有し、前記押え部材が、ビスにより前記器具本体に取り付けられる板状の第１部材と、前記第１部材に支持され前記回路基板に接触する第２部材と、を有し、前記第１部材に当該第１部材から突出する第３部材を設けるとともに、前記器具本体に、前記第３部材の移動を規制するストッパを設けたものである。
【０００８】
また、本発明の照明器具では、前記第２部材は、くびれ部を介して前記第１部材に支持されるものである。
【発明の効果】
【０００９】
本発明では、ＬＥＤが実装された回路基板は、押え部材を介して器具本体に取り付けられる。押え部材は、ビスにより器具本体に取り付けられる板状の第１部材と、第１部材に支持され回路基板に接触する第２部材と、を有するとともに、第１部材には、突出する第３部材が設けられている。第３部材は、器具本体に設けられているストッパにより、移動が規制されるので、押え部材の移動が規制され、回路基板を確実に器具本体に取り付けることができるという効果を有する照明器具を提供できる。
【図面の簡単な説明】
【００１０】
【図１】本発明に係る実施形態の照明器具を下方から見た斜視図
【図２】本発明に係る実施形態の照明器具の分解斜視図
【図３】器具本体を下方から見た底面図
【図４】押え部材の斜視図
【図５】（Ａ）は押え部材によって回路基板を保持する状態を示す斜視図であり、（Ｂ）は（Ａ）中Ｂ−Ｂ位置の断面図
【図６】従来の照明器具における回路基板の取付を示す斜視図
【発明を実施するための形態】
【００１１】
以下、本発明に係る実施形態の照明器具について、図面を用いて説明する。
図１に示すように、本発明に係る実施形態の照明器具１０は、例えば天井面（図示省略）に取り付けて、主に下方を照明するのに用いることができる。
なお、以下の説明において、照明方向を下方（下側）といい、照明方向と反対方向を上方（上側）ということとする。
【００１２】
図２にも示すように、照明器具１０は、器具本体２０と、器具本体２０を天井面等に取り付けるための枠体３０を有する。
図２および図３に示すように、器具本体２０は、全体円柱形状を呈しており、ＬＥＤモジュール２１を取り付ける取付面２２が下方に露出する。
器具本体２０の外周には、ＬＥＤモジュール２１等が発した熱を放出する放熱フィン２３が、複数枚設けられている。
【００１３】
図１および図２に示すように、器具本体２０の前方（下方）には、ＬＥＤモジュール２１が発した光を下方へ反射する反射板２４が設けられている。
反射板２４は、中央部が開口し下方に向かって拡径する例えば円錐台形状の反射面を有する。
反射板２４の前側（下側）には、パッキン２５を介して反射板２４を器具本体２０に取り付けるためのリング状の押え板２６が設けられている。
【００１４】
枠体３０は、円筒形状の枠体本体３１を有する。枠体本体３１の外周面には、所定間隔で複数個（図２においては例えば３個）の取付金具３２が設けられている。
取付金具３２はばね（図示省略）によって下方に付勢されている。
枠体本体３１の内部には、ＬＥＤモジュール２１および反射板２４からの光を所定の方向および範囲に反射する補助反射板３３が収容されている。
枠体本体３１の下端には、リング形状の枠３４が外側に突出して設けられており、補助反射板３３を枠体本体３１に取り付ける。
従って、枠体本体３１は、取付金具３２と枠３４との間に天井面（天井部材）を挟持することにより、天井面に取り付けられる。
【００１５】
図３に示すように、器具本体２０の取付面２２に取り付けられるＬＥＤモジュール２１は、矩形板状の回路基板２１１と、回路基板２１１の実装面に配列される複数個のＬＥＤ２１２を有する。
取付面２２には、矩形の回路基板２１１の対向する一対の側端面（図３において左右端面）の上端部に当接する第１の突起２７、２７が設けられている。
また、一対の側端面に直行する端面（図３において下端面）に当接する第２の突起２８が設けられている。
従って、一対の第１の突起２７、２７によって回路基板２１１の左右方向の位置決めが行われ、第２の突起２８、２８によって下方への移動が規制される。
【００１６】
回路基板２１１は、３個の押え部材４０によって器具本体２０の取付面２２に取り付けられる。
３個の押え部材４０は、回路基板２１１の上端面に接する位置および左右の側端面の下端部に接する位置に配置されている。
従って、回路基板２１１の側端面は、上端部が第１の突起２７、２７に接するとともに、下端部は押え部材４０、４０により固定される。
また、回路基板２１１の下端面が第２の突起２８、２８に接するとともに、上端面が押え部材４０によって固定される。
【００１７】
図４に示すように、押え部材４０は、ビス４４（図５（Ａ）および（Ｂ）参照）により器具本体２０に取り付けられる板状の第１部材４１を有する。
第１部材４１は、ビス４４を挿通するための貫通孔４１１を有する。
また、押え部材４０は、回路基板２１１に接触する第２部材４２を有する。
第２部材４２は、第１部材４１および第２部材４２よりも幅が狭いくびれ部４５を介して第１部材４１に支持される。
【００１８】
くびれ部４５は、第１部材４１を同一平面状に延長して設けられており、くびれ部４５の先端を上方（図４においては下方）に折曲げて第２部材４２が形成される。
くびれ部４５は幅狭に形成されることによりばね性を有しており、第２部材４２はくびれ部４５のばね性により上下方向に弾性変形可能となっている。
【００１９】
第２部材４２は、くびれ部４５の先端に連続する縦壁４２１と、回路基板２１１を押圧する押圧部４２２を有する。
押圧部４２２は、第１部材４１と略平行に設けられており、回路基板２１１を押圧する際に、押圧部４２２の全面で接触する。
【００２０】
第１部材４１における第２部材４２と反対側には、第１部材４１の幅から左右両側に突出する第３部材４３が設けられる。
第３部材４３は、第１部材４１との境界において下方（図４において上方）へ折曲げられており、第１部材４１の面に略直交する。
押え部材４０は、平面視の中心線ＣＬに対して対称の形状をしており、ビス４４用の貫通孔４１１は第１部材４１の中心に配置されている。
また、くびれ部４５は、中心線ＣＬ上に配置されている。
【００２１】
図３および図５（Ａ）に示すように、器具本体２０の取付面２２には、押え部材４０を取り付ける押え部材取付部５０が、押え部材４０の個数に対応して３カ所設けられている。
図５（Ａ）および（Ｂ）に示すように、押え部材取付部５０は、押え部材４０の第１部材４１を収容可能に対向するＬ字形状の一対のブロック５１、５１を有する。
一対のブロック５１、５１の間には隙間が設けられており、くびれ部４５および第２部材４２が、回路基板２１１側に突出可能となっている。
【００２２】
また、回路基板２１１と反対側には、ブロック５１から一定距離離れてストッパ５２が設けられている。
ストッパ５２とブロック５１との間には、押え部材４０の第３部材４３が挿入可能な隙間５３が設けられている。
このため、隙間５３に挿入された第３部材４３は、移動（図５（Ａ）中矢印Ａ参照）が規制される。
【００２３】
従って、回路基板２１１を器具本体２０の取付面２２に取り付ける際には、回路基板２１１を、取付面２２の第１の突起２７、２７および第２の突起２８、２８の内側に位置決めする。
次いで、押え部材４０の第３部材４３をブロック５１とストッパ５２との間の隙間５３に挿入して、押え部材４０を取付面２２の押え部材取付部５０のブロック５１の内側に収容する。
【００２４】
そして、第１部材４１の貫通孔４１１にビス４４を通し、取付面２２に設けられているビス孔２２１にビス４４をねじ込んで固定する。
このとき、押え部材４０は、平面視の中心線ＣＬに対して対称の形状をしており、ビス４４が中心線ＣＬ上に配置されているので、ビス４４を締め付けたときに、押え部材４０の第２部材４２は、回路基板２１１に対して均等に押圧する。
【００２５】
以上、説明した本発明に係る実施形態の照明器具１０によれば、ＬＥＤ２１２が実装された回路基板２１１は、押え部材４０を介して器具本体２０に取り付けられる。
押え部材４０は、ビス４４により器具本体２０に取り付けられる板状の第１部材４１と、第１部材４１に支持され回路基板２１１に接触する第２部材４２と、を有しており、第１部材４１には、突出する第３部材４３が設けられている。
第３部材４３は、器具本体２０に設けられているストッパ５２により、移動が規制されるので、押え部材４０の移動を防止して、回路基板２１１を確実に器具本体２０に取り付けることができる。
【００２６】
また、押え部材４０の第２部材４２は、第１部材４１および第２部材４２よりも幅が狭いくびれ部４５を介して第１部材４１に支持されるので、第２部材４２は第１部材４１に対してばね性を有する。
これにより、第２部材４２によって、回路基板２１１を適度の押圧力で器具本体２０に取り付けることができる。
また、回路基板２１１に接触する圧力の偏りを無くして、回路基板２１１の破損を防止できる。
さらに、くびれ部のサイズや形状を変えることにより、回路基板２１１を押える押圧力を調整することができる。
【００２７】
なお、本発明の照明器具は、前述した実施形態に限定されるものでなく、適宜な変形、改良等が可能である。
例えば、前述した実施形態においては、押え部材４０を３カ所に設けた場合を例示したが、本発明は押え部材４０の数を限定するものではない。
【００２８】
また、前述した実施形態においては、くびれ部４５の先端を上方（図４においては下方）に折曲げて第２部材４２を形成したが、これに限るものではない。
すなわち、回路基板２１１の実装面の高さと、器具本体２０の取付面２２における押え部材取付部５０の高さの関係により、第２部材４２をくびれ部４５と同一面に設けたり、あるいは、下方へ曲げ下ろして設けることも可能である。
【００２９】
また、前述した実施形態においては、第３部材４３は第１部材４１から左右両側に突出しているが、いずれか一方にのみ突出する場合も可能である。
また、前述した実施形態においては、第３部材４３を、第１部材４１に対して直角に折曲げて形成したが、折曲げることなく同一面とすることも可能である。
【００３０】
また、前述した実施形態においては、ストッパ５２は、一対のブロック５１、５１の内側に配置されているが、一対のブロック５１、５１の外側に設けることもできる。
また、前述した実施形態においては、柱状のストッパ５２が一対設けられているが、ストッパ５２とブロック５１との間に第３部材４３を保持できれば、１個のストッパ５２のみでも可能である。
【符号の説明】
【００３１】
１０  照明器具
２０  器具本体
２１１  回路基板
２１２  ＬＥＤ
４０  押え部材
４１  第１部材
４２  第２部材
４３  第３部材
４４  ビス
４５  くびれ部
５２  ストッパ
【図１】
2014029811.tif 000003
【図２】
2014029811.tif 000004
【図３】
2014029811.tif 000005
【図４】
2014029811.tif 000006
【図５】
2014029811.tif 000007
【図６】
2014029811.tif 000008